(57)【要約】【課題】部品点数を少なくすることができ、スイッチの小型化が図れると共に、操作性の良好な複合動作スイッチを提供する。【解決手段】第１及び第２の固定接点パターン２、３が形成されたケース１と、第１の固定接点パターン２と接離される第１の可動接点１１が設けられ、スライド移動可能に保持されたスライド部材８と、スライド部材８に揺動動作可能に保持されたレバー部材１２と、レバー部材１２の揺動動作に伴って移動し、第２の固定接点パターン３と接離される第２の可動接点１３とを備え、第２の可動接点１３は、レバー部材１２に保持されると共に、レバー部材１２の非揺動時には、第２の固定接点パターン３とは離間した状態で対向配置され、レバー部材１２の揺動動作に伴って第２の固定接点パターン３と接触する構成とした。【選択図】        図２
2004342502.tif 000002
【特許請求の範囲】
【請求項１】
収納部を有し、該収納部内に第１及び第２の固定接点パターンが形成されたケースと、前記第１の固定接点パターンと接離される第１の可動接点が設けられ、前記収納部にスライド移動可能に保持されたスライド部材と、該スライド部材に揺動動作可能に保持されたレバー部材と、該レバー部材の揺動動作に伴って移動し、前記第２の固定接点パターンと接離される第２の可動接点とを備え、前記第２の可動接点は、前記レバー部材に保持されると共に、前記レバー部材の非揺動時には、前記第２の固定接点パターンとは離間した状態で対向配置され、前記レバー部材の揺動動作に伴って前記第２の固定接点パターンと接触することを特徴とする複合動作スイッチ。
【請求項２】
前記第２の可動接点は、前記レバー部材の揺動方向の両端部に一対保持されると共に、一対の前記第２の可動接点を、前記スライド部材のスライド移動方向の同一線上に配置したことを特徴とする請求項１記載の複合動作スイッチ。
【請求項３】
前記スライド部材は、中立位置から対向する２方向へスライド移動可能であると共に、前記スライド部材を前記中立位置に復帰させる第１のばね部材を有し、且つ、前記第１の可動接点が前記第１の固定接点パターンと接離する際の節度感を生起させるための第２のばね部材を設けたことを特徴とする請求項１、又は２記載の複合動作スイッチ。
【請求項４】
前記スライド部材がスライド移動した際に前記レバー部材の揺動動作を規制する規制部材を備えたことを特徴とする請求項１乃至３の何れかに記載の複合動作スイッチ。
【請求項５】
前記規制部材は、前記ケースに一体に設けられた複数の突起部からなり、該突起部が前記第２の可動接点を挟んで両側の対向する位置に形成されていることを特徴とする請求項４記載の複合動作スイッチ。
【請求項６】
前記第１の可動接点と、前記第２の可動接点は、同一形状からなる金属片で構成したことを特徴とする請求項１乃至５の何れかに記載の複合動作スイッチ。
【発明の詳細な説明】
【０００１】
【発明の属する技術分野】
本発明は、複合動作スイッチに係り、特に自動車のサンルーフの開閉用として使用される複合動作型のスイッチの構造に関する。
【０００２】
【従来の技術】
従来の複合動作スイッチは、車両天井に組み込まれ、一つの操作部を互いに逆向きにスライド操作することにより自動車のサンルーフの開閉操作を行うようになっており、また、同じ操作部を互いに逆向きに揺動操作することにより自動車のサンルーフの昇降操作を行うようになっている（例えば、特許文献１参照）。
【０００３】
以下、従来の複合動作スイッチの構造を図に基づいて説明する。
図２１及び図２２は従来の複合動作スイッチの構造を示し、図２１は複合動作スイッチの分解斜視図、図２２は揺動操作時のアクチュエータとスライダとの関係を示す断面図である。
【０００４】
図に示すように、１０１はカバーで、カバー１０１にはターミナル１０２、１０２を有するウエハー１０３と、シーソー動作用及びスライド動作用の固定接点部１０７ａ、１０７ｂ、及び１０８が形成されたプリント基板１０４が載置されている。このプリント基板１０４には、第１の可動接点１１５を収納保持するスライダ１１１が載置され、更にスライダ１１１を覆うように四角箱状のホルダー１１２が載置されている。
【０００５】
スライダ１１１には一対のレバー揺動支持部１１７が立設され、このレバー揺動支持部１１７にレバー１２６が揺動自在に支持されている。ホルダー１１２にはレバー１２６の揺動で操作される一対のアクチュエータ１３６、１３６が上下動作自在に支持されており、ホルダー１１２内のプリント基板１０４上には一対の第２の可動接点１４２、１４３を収納保持した可動接点用スライダ１４４、１４５がスライダ１１１のスライド方向と直交する方向にスライド自在にガイドされている。
【０００６】
可動接点用スライダ１４４、１４５の一側面には傾斜面１４７が設けられ、この傾斜面１４７にアクチュエータ１３６の下端が当接されており、レバー１２６の揺動動作によるアクチュエータ１３６の上下動作によって可動接点用スライダ１４４、１４５がコイルスプリング１５０を圧縮させながらスライド動作されるようになっている。
【０００７】
ケース１５７はケース部材の一部を構成するケースで、ホルダー１１２を覆うようにカバー１０１上に取り付けられる。また、ケース１５７の上面にはレバー１２６のノブ嵌合部１５４に嵌合されたノブ１６５が突出して取り付けられている。
【０００８】
上記のように従来の複合動作スイッチは構成されており、ノブ１６５をスライド操作することで、スライダ１１１に保持された第１の可動接点１１５がプリント基板１０４のスライド動作用の固定接点部１０８と接離してスイッチの切り換えが行われれると共に、ノブ１６５を揺動操作することで、レバー１２６がアクチュエータ１３６を下方に押し下げて可動接点用スライダ１４４、１４５がスライド動作されることにより、第２の可動接点１４２、１４３がシーソー動作用の固定接点１０７ａ、１０７ｂと接離してスイッチの切り換えが行われるものとなっている。
【０００９】
【特許文献１】
特開平１０−１３４６７７号公報
【００１０】
【発明が解決しようとする課題】
しかしながら、上述した従来の複合動作スイッチの構造においては、揺動動作時の接点の切り換えに、アクチュエータ３６、可動接点用スライダ４４、４５、コイルスプリング５０を必要とし、部品点数が多いため、生産性が悪く、小型化の支障になっていた。また、移動方向を変換している構成のため、良好な操作性が得られないという問題があった。
【００１１】
したがって、本発明では上述した問題点を解決し、部品点数を少なくすることができ、スイッチの小型化が図れると共に、操作性の良好な複合動作スイッチを提供することを目的とする。
【００１２】
【課題を解決するための手段】
上記課題を解決するために本発明では第１の解決手段として、収納部を有し、該収納部内に第１及び第２の固定接点パターンが形成されたケースと、前記第１の固定接点パターンと接離される第１の可動接点が設けられ、前記収納部にスライド移動可能に保持されたスライド部材と、該スライド部材に揺動動作可能に保持されたレバー部材と、該レバー部材の揺動動作に伴って移動し、前記第２の固定接点パターンと接離される第２の可動接点とを備え、前記第２の可動接点は、前記レバー部材に保持されると共に、前記レバー部材の非揺動時には、前記第２の固定接点パターンとは離間した状態で対向配置され、前記レバー部材の揺動動作に伴って前記第２の固定接点パターンと接触する構成とした。
【００１３】
また、第２の解決手段として、前記第２の可動接点は、前記レバー部材の揺動方向の両端部に一対保持されると共に、一対の前記第２の可動接点を、前記スライド部材のスライド移動方向の同一線上に配置した構成とした。
また、第３の解決手段として、前記スライド部材は、中立位置から対向する２方向へスライド移動可能であると共に、前記スライド部材を前記中立位置に復帰させる第１のばね部材を有し、且つ、前記第１の可動接点が前記第１の固定接点パターンと接離する際の節度感を生起させるための第２のばね部材を設けた構成とした。
【００１４】
また、第４の解決手段として、前記スライド部材がスライド移動した際に前記レバー部材の揺動動作を規制する規制部材を備えた構成とした。
また、第５の解決手段として、前記規制部材は、前記ケースに一体に設けられた複数の突起部からなり、該突起部が前記第２の可動接点を挟んで両側の対向する位置に形成されている構成とした。
また、第６の解決手段として、前記第１の可動接点と、前記第２の可動接点は、同一形状からなる金属片で構成した構成とした。
【００１５】
【発明の実施の形態】
以下、本発明の一実施例を図１乃至図２０に示す。図１は本発明の複合動作スイッチの組立斜視図、図２は分解斜視図、図３はスライド部材とレバー部材の組立状態の下から見た斜視図、図４はケースの平面図、図５は複合動作スイッチの平面図、図６は図５の６−６線における断面図、図７は図５の７−７線における断面図、図８は図５の８−８線における断面図、図９は図５の９−９線における断面図、図１０は図５の１０−１０線における断面図、図１１は図５の１１−１１線における断面図、図１２乃至図１４はマニュアル時のスライド動作状態を示す断面図で、図１２は節度機構部分の断面図、図１３はレバー部材と規制部材部分の断面図、図１４は第１の可動接点部分の断面図、図１５乃至図１７はオート時のスライド動作状態を示す断面図で、図１５は節度機構部分の断面図、図１６はレバー部材と規制部材部分の断面図、図１７は第１の可動接点部分の断面図、図１８乃至図２０はチルト時のシーソー動作状態を示す断線図で、図１８は節度機構部分の断面図、図１９はレバー部材と規制部材部分の断面図、図２０は第２の可動接点部分の断面図である。尚、図１２乃至図２０においては、摘みを図示省略している。
【００１６】
図１乃至図１１において、ケース１は、合成樹脂などの絶縁材で内部に収納部１ａを有する上面開口状の箱型に形成されている。このケース１の収納部１ａの内底面には、導電性の薄板金属板からなる第１、及び第２の固定接点パターン２、３がそれぞれ配設されている。
【００１７】
図４に示すように、第１の固定接点パターン２は、収納部１ａの内底面の上側に配設されており、連続したコモン接点２ａと、左右に離間され対向して配置された第１接点２ｂ及び第２接点２ｃを有している。また、第２の固定接点パターン３は、収納部１ａの内底面の中央に配設され、同じく連続したコモン接点３ａと、左右に離間され対向して配置された第１接点３ｂ及び第２接点３ｃを有している。
そして、第１の固定接点パターン２に、後述するスライド部材８に保持された第１の可動接点１１が摺接され、また、第２の固定接点パターン３に、後述するレバー部材１２に保持された第２の可動接点１３が摺接されるものとなる。
【００１８】
また、ケース１の両側面部には、第１の固定接点パターン２、及び第２の固定接点パターン３から導出された外部端子４、４が、ケース１の底面側に屈曲して設けられている。
【００１９】
また、収納部１ａの対向する両側部には、スライド部材８のスライド移動をガイドする長溝状のスライドガイド部１ｂが設けられ、このスライドガイド部１ｂの中央には、やや幅広の凹溝状の第１のばね受部１ｃが設けられている。この第１のばね受部１ｃには、スライド部材８を中立位置としてのケース１の中央位置に復帰させるコイルばねからなる第１のばね部材５が収納されている。
【００２０】
また、下側部の中央には、縦穴状の第２のばね受部１ｄが設けられている。この第２のばね受部１ｄには、後述するスライド部材８のスライド移動時に第１の可動接点１１が第１の固定接点パターン２と接離する際の節度感を生起させるためのコイルばねからなる第２のばね部材６と、金属製のボール７が収納されている。
【００２１】
このように、スライド部材８を中立位置たるケース１の中央位置に復帰させる第１のばね部材５とは別に、第１の可動接点１１が第１の固定接点パターン２と接離する際の節度感を生起させるための第２のばね部材６を設けたことから、節度機構と復帰機構が独立して設けられており、節度（クリック）感触と復帰の付勢力を独立して設定することができるので、製品の作動力など種々のバラエティー対応が可能となっている。  また、スライド部材８の移動方向に圧縮可能なコイルばねを復帰用の第１のばね部材５として用いているので、スライド部材８のスムーズなスライド移動及び復帰動作が可能となっている。
【００２２】
また、収納部１ａの中央には、複数の突起部１ｅ、１ｆが内底面から突出して一体に設けられており、この突起部１ｅ、１ｆは、左右、上下に対向して４箇所にそれぞれ形成されている。また、この突起部１ｅ、１ｆは、収納部１ａの第２の固定接点パターン３を挟んで両側の対向する位置に平行に並んで立壁状に形成されている。この突起部１ｅ、１ｆを設けることにより、後述するスライド部材８のスライド移動時に、後述するレバー部材１２の両端部がこの突起部１ｅ、１ｆと対峙状態となって、レバー部材１２の揺動が規制されるものとなる。
【００２３】
スライド部材８は、合成樹脂などの絶縁材から形成され、略方形状の基部８ａと、この基部８ａの上面に対向して立設された一対のレバーガイド部８ｂを有する。この基部８ａの中央には開口部８ｃが設けられ、この開口部８ｃに後述するレバー部材１２が揺動可能に挿通されるものとなる。また、レバーガイド部８ｂの先端側には、レバー部材１２が揺動可能に軸支される軸孔８ｄが設けられている。
【００２４】
また、基部８ａの上面側で、一方のレバーガイド部８ｂの根元部には、縦穴状の第３のばね受部８ｅが設けられ、この第３のばね受部８ｅには、レバー部材１２に節度感と中立位置としての中央位置に復帰させるための、コイルばねからなる第３のばね部材９と、金属製のボール１０が収納されている。
【００２５】
また、基部８ａの下面側の両側部には、ケース１の収納部１ａに設けられたスライドガイド部１ｂに摺接する一対の突起部からなるガイド突部８ｆが設けられている。このガイド突部８ｆの中央には凹部８ｇを有し、この凹部８ｇ内に第１のばね部材５が収納され、スライド部材８のスライド移動に伴って、第１のばね部材５が圧縮されるものとなる。この第１のばね部材５は、スライド部材８をケース１の中央位置に保持すると共に、左右へのスライド移動の際、中央位置に復帰させる復帰ばねの機能を有している。
【００２６】
また、図３に示すように、基部８ａの下面側の一方には、りん青銅などの導電性の金属板からなる第１の可動接点１１が保持される第１の接点収容部８ｈを有する。この第１の可動接点１１は、スライド部材８のスライド移動に伴って、収納部１ａの内底面に配設された第１の固定接点パターン２と摺接するものとなる。
【００２７】
また、図８に示すように、基部８ａの下端側の他方には、複数のカム溝８ｉ、８ｊを有する第１のカム部８ｋが設けられている。この第１のカム部８ｋは、中央にやや大きめのカム溝８ｉを有し、このカム溝８ｉを挟んで両側に一対のカム溝８ｊが設けられている。また、この第１のカム部８ｋの中央のカム溝８ｉには、第２のばね部材６に付勢されたボール７が押圧されてスライド部材８がケース１の中央位置に保持されている。そして、スライド部材８が左右にスライド移動する時には、カム溝８ｉからカム溝８ｊにボール７が転動することにより、節度（クリック）感が得られるものとなる。
【００２８】
レバー部材１２は、合成樹脂などの絶縁材から略逆Ｔ字状に形成され、基軸部１２ａと、この基軸部１２ａの下端側に左右に延設された一対のアーム部１２ｂを有する。この基軸部１２ａの先端側の対向する側面部には、一対の支軸１２ｃが設けられており、この支軸１２ｃが、スライド部材８のレバーガイド部８ｂに設けられた軸孔８ｄに軸支されて揺動可能となっている。
【００２９】
また、図３に示すように、一対のアーム部１２ｂの下面側には、りん青銅などの導電性の金属板からなる第２の可動接点１３が保持される第２の接点収容部１２ｄを有する。この第２の可動接点１３は、レバー部材１２の揺動動作に伴って、収納部１ａの内底面に配設された第２の固定接点パターン３と当接（摺接）するものとなる。また、第２の可動接点１３は、レバー部材１２の揺動方向の両端部に一対保持されており、この場合、一対の第２の可動接点１３は、スライド部材８のスライド移動方向の同一線上に配置されたものとなっている。
このため、スライド部材８とケース１の幅方向の寸法を小さくすることができるので、幅方向の小型化が図れるものとなっている。
【００３０】
また、第１の可動接点１１と、第２の可動接点１３は、同一形状からなる金属片で形成されており、部品の共用が可能となりコストダウンが図れると共に、第１の可動接点１１と第２の可動接点１３の誤装着を防止できるものとなっている。
また、第２の可動接点１３は、予め自身の弾発力により接触圧が生起された状態、すなわち撓めた状態で、第２の接点収容部１２ｄに保持されている。このため、レバー部材１２が初期状態の中央位置においては、第２の可動接点１３を第２の固定接点パターン３から離間しておく必要があるが、揺動時に確実に接触圧が付与でき、接触を確実に行えるようになっている。また、接触を安定させるために、第２の可動接点１３は揺動方向に沿って摺動子１３ａが延びるように形成されている。
【００３１】
また、一対のアーム部１２ｂの先端部が、収納部１ａに設けられた突起部１ｅ、１ｆに当接するストッパー部１２ｅとなっており、レバー部材１２の揺動動作が規制されるものとなっている。そして、スライド部材８の移動時にはレバー部材１２の揺動動作を確実に規制することができるものとなっている。
【００３２】
また、規制部材である突起部１ｅ、１ｆは、収納部１ａの第２の固定接点パターン３を挟んで両側の対向する位置に平行に並んで立壁状に形成されており、この突起部１ｅ、１ｆが第２の可動接点１３を挟んで両側の位置に設けられているので、この突起部１ｅ、１ｆによって第２の可動接点１３が保護されている。
【００３３】
また、図１１に示すように、基軸部１２ａの１側部には、下方に拡開された山形状の第２のカム部１２ｆが設けられており、この第２のカム部１２ｆの頂部に、第３のばね部材９に付勢されたボール１０が押圧されてレバー部材１２がスライド部材８の中央位置に起立した状態で保持されている。そして、レバー部材１２が左右に揺動する時には、ボール１０が第２のカム部１２ｆのカム面を摺動することにより、節度（クリック）感が得られると共に、中央位置へ復帰する付勢力を生起するものとなる。
【００３４】
また、レバー部材１２の基軸部１２ａの先端部には、合成樹脂製の操作用の摘み１４が固着されている。この摘み１４を、スライド方向、及び揺動方向に操作することで、スライド部材８、及びレバー部材１２がスライド移動、及び揺動動作するようになっている。
【００３５】
カバー１５は、金属板などを打ち抜き、折り曲げることにより略箱状に形成されており、上板部１５ａには、レバー部材１２の基軸部１２ａが挿通される貫通孔１５ｂを有し、対向する一方の側板部１５ｃには、ケース１に係合する係合片１５ｄが設けられ、対向する他方の側板部１５ｅには、回路基板（図示せず）に固着される取付脚１５ｆを有している。
このカバー１５は、ケース１の収納部１ａの開口部上面側に嵌着されて、スライド部材８、及びレバー部材１２の飛び出しを規制している。
【００３６】
次に、図１２乃至図２０を用いて本発明の複合動作スイッチの動作を説明する。
まず、サンルーフを開閉操作する場合には、摘み１４を左右にスライド移動させるが、図１２に、左方向へのマニュアル時のスライド動作状態を示す。この状態では、スライド部材８は、レバー部材１２と共に左方向へ移動されて、節度（クリック）機構を構成する第２のばね部材６に付勢されたボール７が、第１のカム部８ｋの中央の大きなカム溝８ｉから右側のカム溝８ｊへと節度感を伴って転動されてその位置に保持される。
【００３７】
この時、スライド部材８の基部８ａの下側に保持された第１の可動接点１１の接点が、図４に示す第１の固定接点パターン２のコモン接点２ａと、左側に位置する第１接点２ｂとに接触して回路が切り換わる。
この時、図１４に示すように、レバー部材１２は、第３のばね部材９に付勢されたボール１０が、第２のカム部１２ｆの頂部に押圧されており、スライド部材８の中央位置に起立した状態でスライド部材８と共にスライド移動する。
【００３８】
尚、この状態で、レバー部材１２を揺動動作すると、図１３に示すように、レバー部材１２は、一対のアーム部１２ｂの先端部であるストッパー部１２ｅが、収納部１ａに設けられた突起部１ｅ、１ｆに当接するものとなっており、レバー部材１２の揺動動作が規制されるものとなる。
【００３９】
このように、収納部１ａに、スライド部材８が一段目のスライド移動した際に、レバー部材１２の揺動動作を規制する規制部材となる突起部１ｅ、１ｆを形成したことから、スライド部材８の移動時にはレバー部材１２の揺動動作が規制されることになるので、レバー部材１２に設けられた第２の可動接点１３がケース１と接触して損傷したり、第２の固定接点パターン３と接触することによる誤動作を防止することができるものとなっている。
【００４０】
次に、この状態から、更に左方向へ摘み１４をスライド移動させると、図１５に示すように、サンルーフを全開あるいは全閉させるオート時のスライド動作状態となり、この状態では、スライド部材８は、レバー部材１２と共に左方向へ移動されて、節度（クリック）機構を構成する第２のばね部材６に付勢されたボール７が、第１のカム部８ｋの右側のカム溝８ｊから外れて更に右側に節度感を伴って転動されてその位置に保持される。
【００４１】
この時、スライド部材８の基部８ａの下側に保持された第１の可動接点１１の接点が、図４に示す第１の固定接点パターン２のコモン接点２ａと、左側に位置する第１接点２ｂ、及び第２接点２ｃの両方に接触して回路が切り換わる。
この時、図１７に示すように、レバー部材１２は、同じく、第３のばね部材９に付勢されたボール１０が、第２のカム部１２ｆの頂部に押圧されており、スライド部材８の中央位置に起立した状態でスライド部材８と共に二段目のスライド移動する。
【００４２】
尚、この状態においても、図１６に示すように、レバー部材１２は、一対のアーム部１２ｂの先端部であるストッパー部１２ｅが、収納部１ａに設けられた突起部１ｅ、１ｆに当接するものとなっており、レバー部材１２の揺動動作が規制されるものとなっている。
【００４３】
次に、サンルーフを昇降操作する場合には、摘み１４を左右に揺動操作させるが、レバー部材１２が左方向へ揺動された状態を図１８に示す。この状態では、レバー部材１２は、節度（クリック）機構を構成する第３のばね部材９に付勢されたボール１０が、山形状の第２のカム部１２ｆの左側の斜面に節度感を伴って転動される。
【００４４】
この時、図２０に示すように、レバー部材１２の左側のアーム部１２ｂの下面側に保持された第２の可動接点１３が、図４に示す第２の固定接点パターン３のコモン接点３ａと、左側に位置する第１接点３ｂ、及び第２接点３ｃのそれぞれに接触して回路が切り換わる。
この時、図８に示すように、スライド部材８は、第２のばね部材６に付勢されたボール７が、第１のカム部材８ｋの中央の大きなカム溝８ｉに押圧されており、この付勢力によりケース１の中央に保持されるものとなる。
【００４５】
また、この時、図１９に示すように、レバー部材１２は、左側のアーム部１２ｂの先端部のストッパー部１２ｅが、収納部１ａに設けられた突起部１ｅ、１ｆの間に設けられた切り欠き部内に落ち込むことになり、両突起部１ｅ、１ｆで挟まれた状態となることから、レバー部材１２が左右方向へスライド移動するのを規制されるものとなっており、これに伴って、スライド部材８の左右方向へのスライド移動も規制されるものとなっている。
【００４６】
尚、開閉操作時に、摘み１４を左方向ではなく、右方向にスライド移動させる場合や、昇降操作時に、摘み１４を右方向へ揺動操作させる場合においても、上記と同様の動作になることから、その説明は省略する。
【００４７】
また、上記実施例では、開閉操作時に、スライド部材８が左右へ２段階で切り換わる構成としたが、１段の構成としても良く、左右のどちらかの１方向に切り換える構造としても良い。
【００４８】
上記した実施例によれば、収納部１ａ内に第１及び第２の固定接点パターン２、３が形成されたケース１に、第１の固定接点パターン２と接離される第１の可動接点１１を設けたスライド部材８をスライド自在に保持して、このスライド部材８に揺動動作可能にレバー部材１２を保持すると共に、このレバー部材１２に第２の固定接点パターン３と接離される第２の可動接点１３を保持して、レバー部材１２の非揺動時には、第２の固定接点パターン３とは離間した状態で対向配置して、レバー部材１２の揺動動作に伴って第２の固定接点パターン３と接触するようにしたため、一対の第２の可動接点１３がレバー部材１２に保持されて一体的に移動可能になっているので、部品点数を少なくすることができ、小型化が図れると共に、レバー部材１２の動作を動作変換することなしに接点の切り換えを行えるので、良好な操作性が得られるものとなっている。
また、レバー部材１２の非揺動時には、第２の固定接点パターン３と第２の可動接点１３とを離間して配置する構成となっているので、スライド部材８のスライド移動時に、第２の固定接点パターン３と第２の可動接点１３とが誤って接触してしまう誤動作を防止できるものとなっている。
【００４９】
【発明の効果】
以上説明したように、本発明の複合動作スイッチは、収納部を有し、収納部内に第１及び第２の固定接点パターンが形成されたケースと、第１の固定接点パターンと接離される第１の可動接点が設けられ、収納部にスライド移動可能に保持されたスライド部材と、スライド部材に揺動動作可能に保持されたレバー部材と、レバー部材の揺動動作に伴って移動し、第２の固定接点パターンと接離される第２の可動接点とを備え、第２の可動接点は、レバー部材に保持されると共に、レバー部材の非揺動時には、第２の固定接点パターンとは離間した状態で対向配置され、レバー部材の揺動動作に伴って第２の固定接点パターンと接触することから、一対の第２の可動接点がレバー部材に保持されているので、部品点数を少なくすることができ、小型化が図れると共に、良好な操作性が得られる。
また、非揺動時には、第２の固定接点パターンと第２の可動接点とが離間して配置されているので、スライド部材のスライド移動時に、第２の固定接点パターンと第２の可動接点とが接触する誤動作を防止できる。
【００５０】
また、第２の可動接点は、レバー部材の揺動方向の両端部に一対保持されると共に、一対の第２の可動接点を、スライド部材のスライド移動方向の同一線上に配置したことから、スライド部材とケースの幅方向の寸法を小さくすることができるので、幅方向の小型化が図れる。
【００５１】
また、スライド部材は、中立位置から対向する２方向へスライド移動可能であると共に、スライド部材を中立位置に復帰させる第１のばね部材を有し、且つ、第１の可動接点が第１の固定接点パターンと接離する際の節度感を生起させるための第２のばね部材を設けたことから、節度機構と復帰機構が独立して設けられており、節度（クリック）感触と復帰の付勢力を独立して設定することができるので、製品の作動力など種々のバラエティー対応が可能となる。  また、スライドの移動方向に圧縮可能なコイルバネを復帰用の第１のばね部材として用いた場合には、スライド部材のスムーズなスライド移動及び復帰動作が可能となる。
【００５２】
また、スライド部材がスライド移動した際にレバー部材の揺動動作を規制する規制部材を備えたことから、スライドの移動時にレバー部材の揺動動作が規制されるので、レバー部材に設けられた第２の可動接点がケースと接触して損傷したり、第２の固定接点パターンと接触することによる誤動作を防止することができる。
【００５３】
また、規制部材は、ケースに一体に設けられた複数の突起部からなり、突起部が第２の可動接点を挟んで両側の対向する位置に形成されていることから、突起部が第２の可動接点の両側に設けられているので、突起部によって第２の可動接点が保護されると共に、スライドの移動時にレバーの揺動動作を確実に規制することができる。
【００５４】
また、第１の可動接点と、第２の可動接点は、同一形状からなる金属片で構成したことから、部品の共用が可能となりコストダウンが図れると共に、可動接点の誤装着を防止できる。
【図面の簡単な説明】
【図１】本発明の一実施例である複合動作スイッチを示す組立斜視図である。
【図２】本発明の複合動作スイッチを示す分解斜視図である。
【図３】本発明のスライド部材とレバー部材の組立状態の下から見た斜視図である。
【図４】本発明のケースを示す平面図である。
【図５】本発明の複合動作スイッチを示す平面図である。
【図６】本発明の図５の６−６線における断面図である。
【図７】本発明の図５の７−７線における断面図である。
【図８】本発明の図５の８−８線における断面図である。
【図９】本発明の図５の９−９線における断面図である。
【図１０】本発明の図５の１０−１０線における断面図である。
【図１１】本発明の図５の１１−１１線における断面図である。
【図１２】本発明のマニュアル時のスライド動作状態に係る節度機構部分を示す断面図である。
【図１３】本発明のマニュアル時のスライド動作状態に係るレバー部材と規制部材部分を示す断面図である。
【図１４】本発明のマニュアル時のスライド動作状態に係る第１の可動接点部分を示す断面図である。
【図１５】本発明のオート時のスライド動作状態に係る節度機構部分を示す断面図である。
【図１６】本発明のオート時のスライド動作状態に係るレバー部材と規制部材部分を示す断面図である。
【図１７】本発明のオート時のスライド動作状態に係る第１の可動接点部分を示す断面図である。
【図１８】本発明のチルト時のシーソー動作状態に係る節度機構部分を示す断面図である。
【図１９】本発明のチルト時のシーソー動作状態に係るレバー部材と規制部材部分を示す断面図である。
【図２０】本発明のチルト時のシーソー動作状態に係る第２の可動接点部分を示す断面図である。
【図２１】従来の複合動作スイッチを示す分解斜視図である。
【図２２】従来の揺動操作時のアクチュエータとスライダとの関係を示す断面図である。
【符号の説明】
１  ケース
１ａ  収納部
１ｂ  スライドガイド部
１ｃ  第１のばね受部
１ｄ  第２のばね受部
１ｅ，１ｆ  突起部
２  第１の固定接点パターン
２ａ  コモン接点
２ｂ  第１接点
２ｃ  第２接点
３  第２の固定接点パターン
３ａ  コモン接点
３ｂ  第１接点
３ｃ  第２接点
４  外部端子
５  第１のばね部材
６  第２のばね部材
７  ボール
８  スライド部材
８ａ  基部
８ｂ  レバーガイド部
８ｃ  開口部
８ｄ  軸孔
８ｅ  第３のばね受部
８ｆ  ガイド突部
８ｇ  凹部
８ｈ  第１の接点収容部
８ｉ，８ｊ  カム溝
８ｋ  第１のカム部
９  第３のばね部材
１０  ボール
１１  第１の可動接点
１２  レバー部材
１２ａ  基軸部
１２ｂ  アーム部
１２ｃ  支軸
１２ｄ  第２の接点収容部
１２ｅ  ストッパー部
１２ｆ  第２のカム部
１３  第２の可動接点
１３ａ  摺動子
１４  摘み
１５  カバー
１５ａ  上板部
１５ｂ  貫通孔
１５ｃ  側板部
１５ｄ  係合片
１５ｅ  側板部
１５ｆ  取付脚
【図１】
2004342502.tif 000003
【図２】
2004342502.tif 000004
【図３】
2004342502.tif 000005
【図４】
2004342502.tif 000006
【図５】
2004342502.tif 000007
【図６】
2004342502.tif 000008
【図７】
2004342502.tif 000009
【図８】
2004342502.tif 000010
【図９】
2004342502.tif 000011
【図１０】
2004342502.tif 000012
【図１１】
2004342502.tif 000013
【図１２】
2004342502.tif 000014
【図１３】
2004342502.tif 000015
【図１４】
2004342502.tif 000016
【図１５】
2004342502.tif 000017
【図１６】
2004342502.tif 000018
【図１７】
2004342502.tif 000019
【図１８】
2004342502.tif 000020
【図１９】
2004342502.tif 000021
【図２０】
2004342502.tif 000022
【図２１】
2004342502.tif 000023
【図２２】
2004342502.tif 000024